(57)【要約】【課題】  ＭＢＭＳに加入したコネクトモード端末機のＦＬＣ適用或いは制限を選択する方法及び装置を提供する。【解決手段】  マルチメディア放送/マルチキャストサービス(ＭＢＭＳ)移動通信システムで非優先周波数層(ＮＰＬ)に位置するコネクトモード端末機による周波数層選択方法であって、無線ネットワーク制御器(ＲＮＣ)からＭＢＭＳサービスの優先周波数層(ＰＬ)に関連した優先周波数情報を含むメッセージを受信する段階と、前記優先周波数情報がＰＬサービス制限情報を含むか否かを確認する段階と、前記優先周波数情報が前記ＰＬサービス制限情報を含まないと、前記優先周波数に移動する段階と、前記優先周波数情報が前記ＰＬサービス制限情報を含むと、現在周波数を維持する段階と、を含んで構成されることを特徴とする。【選択図】  図１
2006042354.tif 000002
【特許請求の範囲】
【請求項１】
マルチメディア放送/マルチキャストサービス(ＭＢＭＳ)移動通信システムにおいて非優先周波数層(ＮＰＬ)に位置するコネクトモード端末機による周波数層選択方法であって、 
無線ネットワーク制御器(Ｒａｄｉｏ  Ｎｅｔｗｏｒｋ  Ｃｏｎｔｒｏｌｌｅｒ：ＲＮＣ)からＭＢＭＳサービスの優先周波数層(ＰＬ)に関連した優先周波数情報を含むメッセージを受信する段階と、 
前記優先周波数情報がＰＬサービス制限情報を含むか否かを確認する段階と、 
前記優先周波数情報が前記ＰＬサービス制限情報を含まないと、前記優先周波数に移動する段階と、 
前記優先周波数情報が前記ＰＬサービス制限情報を含むと、現在周波数を維持する段階と、
を含んで構成されることを特徴とする方法。 
【請求項２】
前記コネクトモード端末機が、前記ＮＰＬに位置しないと、前記現在周波数を維持する段階をさらに含むことを特徴とする請求項１記載の方法。 
【請求項３】
前記優先周波数情報は、 
前記ＰＬの無線資源が前記ＭＢＭＳを受信しようとするコネクトモード或いは特定ＲＲＣ(Ｒａｄｉｏ  Ｒｅｓｏｕｒｃｅ  Ｃｏｎｔｒｏｌ)状態である端末機のトラフィックを十分に収容できない場合に、前記ＰＬサービス制限情報を含むことを特徴とする請求項１記載の方法。 
【請求項４】
前記ＰＬサービス制限情報は、 
コネクトモードの各状態により、周波数層コンバージェンス(ＦＬＣ)の適用可否を示すビットマップ或いは整数値を有することを特徴とする請求項１記載の方法。
【請求項５】
マルチメディア放送/マルチキャストサービス(ＭＢＭＳ)移動通信システムで非優先周波数層(ＮＰＬ)に位置するコネクトモード端末機による周波数層選択方法であって、
無線ネットワーク制御器(ＲＮＣ)からＭＢＭＳサービスの優先周波数層(ＰＬ)に関連した優先周波数情報を含むメッセージを受信する段階と、 
前記優先周波数情報がＰＬサービス制限情報を含むか否かを確認する段階と、 
前記優先周波数情報が前記ＰＬサービス制限情報を含まないと、前記優先周波数に移動する段階と、 
前記優先周波数情報が前記ＰＬサービス制限情報を含むと、該当する優先順位によるサービス選択手順を遂行する段階と、 
前記サービス選択手順の結果により、コネクトモード端末機が現在周波数を維持するか否かを決定する段階と、
を含んで構成されることを特徴とする方法。 
【請求項６】
現在周波数で受信中である専用トラフィックサービスが選択されると、前記現在周波数を維持する段階をさらに含むことを特徴とする請求項５記載の方法。 
【請求項７】
前記現在周波数で受信中である専用トラフィックサービスを中止し、前記選択されたＭＢＭＳのＰＬに移動する段階をさらに含むことを特徴とする請求項５記載の方法。 
【請求項８】
前記コネクトモード端末機が、前記ＮＰＬに位置しないと、前記現在周波数を維持する段階をさらに含むことを特徴とする請求項５記載の方法。 
【請求項９】
前記優先周波数情報は、 
前記ＰＬの無線資源が前記ＭＢＭＳを受信しようとするコネクトモード或いは特定ＲＲＣ状態である端末機のトラフィックを十分に収容できない場合に、前記ＰＬサービス制限情報を含むことを特徴とする請求項５記載の方法。 
【請求項１０】
前記ＰＬサービス制限情報は、 
コネクトモードの各状態により、周波数層コンバージェンス(ＦＬＣ)の適用可否を示すビットマップ或いは整数値を有することを特徴とする請求項５記載の方法。
【請求項１１】
マルチメディア放送/マルチキャストサービス(ＭＢＭＳ)移動通信システムにおいてコネクトモードでＭＢＭＳのための周波数を選択する端末装置であって、 
無線ネットワーク制御器(ＲＮＣ)からＭＢＭＳのＰＬに関連した優先周波数情報を含むメッセージを受信するメッセージ受信部と、 
前記コネクトモード端末機が前記ＭＢＭＳのＮＰＬに位置するか、前記優先周波数情報がＰＬサービス制限情報を含むかを確認するサービス制御部と、 
前記コネクトモード端末機が前記ＮＰＬに位置し、前記優先周波数情報が前記ＰＬサービス制限情報を含まない場合には前記ＰＬに移動して前記ＭＢＭＳを受信し、前記コネクトモード端末機が前記ＮＰＬに位置し、前記優先周波数情報が前記ＰＬサービス制限情報を含む場合には現在周波数を維持するデータ受信部と、
を含むことを特徴とする装置。 
【請求項１２】
前記データ受信部は、前記コネクトモード端末機が前記ＮＰＬに位置しないと、前記現在周波数を維持することを特徴とする請求項１１記載の装置。 
【請求項１３】
前記サービス制御部は、 
前記コネクトモード端末機が前記ＮＰＬに位置し、前記優先周波数情報が前記ＰＬサービス制限情報を含むと、該当する優先順位に基づいたサービス選択手順を遂行することを特徴とする請求項１１記載の装置。 
【請求項１４】
前記データ受信部は、 
現在周波数で受信中である専用トラフィックサービスが選択されると、前記現在周波数を維持し、ＭＢＭＳサービスが選択されると、前記現在周波数で受信中である専用トラフィックサービスを中止し、前記選択されたＭＢＭＳサービスのＰＬに移動することを特徴とする請求項１３記載の装置。 
【請求項１５】
前記優先周波数情報は、 
前記ＰＬの無線資源が前記ＭＢＭＳを受信しようとするコネクトモード或いは特定ＲＲＣ状態である端末機のトラフィックを十分に収容できない場合に、前記ＰＬサービス制限情報を含むことを特徴とする請求項１１記載の装置。 
【請求項１６】
前記ＰＬサービス制限情報は、 
コネクトモードの各状態により、周波数層コンバージェンス(ＦＬＣ)の適用可否を示すビットマップ或いは整数値を有することを特徴とする請求項１１記載の装置。
【請求項１７】
マルチメディア放送/マルチキャストサービス(ＭＢＭＳ)移動通信システムで無線ネットワーク制御器がコネクトモード端末機の周波数選択を制御する方法であって、
制御されるセルに位置するコネクトモード端末機が希望するＭＢＭＳのＰＬに移動することを制限するＰＬサービス制限情報を含む優先周波数情報を決定する段階と、 
前記決定された優先周波数情報を含むメッセージを前記コネクトモード端末機に伝送する段階と、
を含んで構成されることを特徴とする方法。 
【請求項１８】
前記優先周波数情報は、 
前記ＰＬの無線資源が前記ＭＢＭＳを受信しようとするコネクトモード或いは特定ＲＲＣ状態である端末機のトラフィックを十分に収容できない場合に、前記ＰＬサービス制限情報を含むことを特徴とする請求項１７記載の方法。 
【請求項１９】
前記ＰＬサービス制限情報は、 
コネクトモードの各状態により、周波数層コンバージェンス(ＦＬＣ)の適用可否を示すビットマップ或いは整数値を有することを特徴とする請求項１７記載の方法。
【請求項２０】
マルチメディア放送/マルチキャストサービス(ＭＢＭＳ)移動通信システムでコネクトモード端末機等の周波数選択を制御する無線ネットワーク制御器の装置であって、 
制御されるセルに位置するコネクトモード端末機が希望するＭＢＭＳのＰＬに移動することを制限するＰＬサービス制限情報を含む優先周波数情報を決定するＦＬＣ制御部と、
前記決定された優先周波数情報を含むメッセージを前記コネクトモード端末機に伝送するメッセージ送信部と、
を含むことを特徴とする装置。 
【請求項２１】
前記優先周波数情報は、 
前記ＰＬの無線資源が前記ＭＢＭＳを受信しようとするコネクトモード或いは特定ＲＲＣ状態である端末機のトラフィックを十分に収容できない場合に、前記ＰＬサービス制限情報を含むことを特徴とする請求項２０記載の装置。 
【請求項２２】
前記ＰＬサービス制限情報は、 
コネクトモードの各状態により、周波数層コンバージェンス(ＦＬＣ)の適用可否を示すビットマップ或いは整数値を有することを特徴とする請求項２０記載の装置。
【請求項２３】
前記無線ネットワーク制御器によって制御されるセルの無線資源を管理して前記セルの周波数別に可用の無線資源の量を測定し、前記優先周波数情報を決定するのに利用されるように前記測定された無線資源を前記ＦＬＣ制御部に提供する無線資源管理部をさらに含むことを特徴とする請求項２０記載の装置。   
【請求項２４】
マルチメディア放送/マルチキャストサービス(ＭＢＭＳ)移動通信システムで非優先周波数層(ＮＰＬ)に位置するコネクトモード端末機による周波数層選択方法であって、
無線ネットワーク制御器(ＲＮＣ)からＭＢＭＳサービスの優先周波数層(ＰＬ)に関連した優先周波数情報を含むメッセージを受信する段階と、 
前記優先周波数情報が前記ＰＬサービス制限情報を含むか否かを決定する段階と、
を含んで構成されることを特徴とする方法。 
【請求項２５】
前記優先周波数情報が、前記ＰＬサービス制限情報を含まないと、前記ＰＬに移動する段階をさらに含むことを特徴とする請求項２４記載の方法。 
【請求項２６】
前記優先周波数情報が、前記ＰＬサービス制限情報を含むと、現在周波数を維持する段階をさらに含むことを特徴とする請求項２４記載の方法。 
【発明の詳細な説明】
【技術分野】
【０００１】
本発明はマルチメディア放送/マルチキャストサービス(Ｍｕｌｔｉｍｅｄｉａ  Ｂｒｏａｄｃａｓｔ/Ｍｕｌｔｉｃａｓｔ  Ｓｅｒｖｉｃｅ：以下、“ＭＢＭＳ”とする)に関するもので、特に、コネクトモード端末機が希望するＭＢＭＳサービスを受信するための周波数層の選択を制御する方法に関するものである。 
【背景技術】
【０００２】
最近、通信技術の発達により広帯域符号分割多重接続(Ｃｏｄｅ  Ｄｉｖｉｓｉｏｎ  Ｍｕｌｔｉｐｌｅ  Ａｃｃｅｓｓ：ＣＤＭＡ)方式を使用する移動通信システムで提供するサービスは、従来の音声サービスだけでなく、パケットデータ又はマルチメディアデータが伝送可能なマルチメディア放送/通信サービスに発展している。したがって、マルチメディア放送/通信を支援するために、一つ又は複数のマルチメディアデータソースから複数の使用者端末機(Ｕｓｅｒ  Ｅｑｕｉｐｍｅｎｔ：ＵＥ）にサービスを提供するＭＢＭＳが論議されている。 
【０００３】
ＭＢＭＳは、無線ネットワークを通じて同一のマルチメディアデータを複数の受信者に伝送するサービスのことである。このとき、複数の受信者が一つの無線チャンネルを共有するようにして、無線伝送資源を節約することができる。ＭＢＭＳは、無線資源のより効率的な使用のためにＦＬＣ(Ｆｒｅｑｕｅｎｃｙ  Ｌａｙｅｒ  Ｃｏｎｖｅｒｇｅｎｃｅ)を支援する。ＦＬＣは、特定サービスを同一の地域に重複するすべての周波数を通じて提供するのではなく、一つの特定周波数のみでサービスを提供し、サービスを受信しようとする端末機を特定周波数に移動させる過程である。特定周波数は、該当サービスの優先周波数(Ｐｒｅｆｅｒｒｅｄ  Ｆｒｅｑｕｅｎｃｙ)又は優先周波数層(Ｐｒｅｆｅｒｒｅｄ  ｆｒｅｑｕｅｎｃｙ  Ｌａｙｅｒ：以下、“ＰＬ”とする)と呼ばれる。端末機は、ＦＬＣによりＭＢＭＳ周波数選択手順を遂行する。 
【０００４】
ＭＢＭＳサービスのＭＢＭＳセッションが始まると、ＲＲＭ(Ｒａｄｉｏ  Ｒｅｓｏｕｒｃｅ  Ｍａｎａｇｅｍｅｎｔ)によってＭＢＭＳサービスに対する優先周波数、すなわち、ＰＬが決定される。このとき、アイドルモード(ｉｄｌｅ  ｍｏｄｅ)端末機は関連(ａｓｓｏｃｉａｔｅｄ)トラフィックを持っていないため、異なる周波数層からＭＢＭＳサービスに加入(ｊｏｉｎ)したアイドルモード端末機がＰＬに移動してもシステム資源状況に影響を及ぼさない。しかしながら、専用トラフィックサービスを受信中であるコネクトモード(ｃｏｎｎｅｃｔｅｄ  ｍｏｄｅ)端末機は、関連トラフィックを持っているため、ＰＬの無線資源の可用状態によりＰＬで専用サービスを受信しないこともある。すなわち、ＰＬの無線資源がコネクトモード端末機のトラフィックを収容(ａｃｃｏｍｍｏｄａｔｅ)しない場合に、コネクトモード端末機の専用サービスが中断されるという問題点があった。 
【発明の開示】
【発明が解決しようとする課題】
【０００５】
したがって、上記のような従来技術の問題点を解決するために提案された本発明の目的は、ＭＢＭＳに加入したコネクトモード端末機のＦＬＣ適用或いは制限を選択する方法及び装置を提供することにある。 
また、本発明の目的は、ＭＢＭＳにおけるＰＬの無線資源状態を考慮してＭＢＭＳに加入したコネクトモード端末機のＦＬＣ適用或いは制限をネットワークが決定する方法及び装置を提供することにある。 
本発明の目的は、コネクトモード端末機のためのＦＬＣ適用可否に関する情報をコネクトモード端末機に伝送する方法及び装置を提供することにある。 
本発明の他の目的は、コネクトモード端末機のためのＦＬＣ適用可否に関する情報によるコネクトモード端末機の動作及び構造を提供することにある。 
【課題を解決するための手段】
【０００６】
上記した本発明の目的を達成するための本発明は、マルチメディア放送/マルチキャストサービス(ＭＢＭＳ)移動通信システムで非優先周波数層(ＮＰＬ)に位置するコネクトモード端末機による周波数層選択方法であって、無線ネットワーク制御器(ＲＮＣ)からＭＢＭＳサービスの優先周波数層(ＰＬ)に関連した優先周波数情報を含むメッセージを受信する段階と、前記優先周波数情報がＰＬサービス制限情報を含むか否かを確認する段階と、前記優先周波数情報が前記ＰＬサービス制限情報を含まないと、前記優先周波数に移動する段階と、前記優先周波数情報が前記ＰＬサービス制限情報を含むと、現在周波数を維持する段階と、を含んで構成されることを特徴とする。
【０００７】
また、本発明は、マルチメディア放送/マルチキャストサービス(ＭＢＭＳ)移動通信システムで非優先周波数層(ＮＰＬ)に位置するコネクトモード端末機による周波数層選択方法であって、無線ネットワーク制御器(ＲＮＣ)からＭＢＭＳサービスの優先周波数層(ＰＬ)に関連した優先周波数情報を含むメッセージを受信する段階と、前記優先周波数情報がＰＬサービス制限情報を含むか否かを確認する段階と、前記優先周波数情報が前記ＰＬサービス制限情報を含まないと、前記優先周波数に移動する段階と、前記優先周波数情報が前記ＰＬサービス制限情報を含むと、該当する優先順位によるサービス選択手順を遂行する段階と、前記サービス選択手順の結果により、コネクトモード端末機が現在周波数を維持するか否かを決定する段階と、を含んで構成されることを特徴とする。
【０００８】
さらに、本発明は、マルチメディア放送/マルチキャストサービス(ＭＢＭＳ)移動通信システムでコネクトモードでＭＢＭＳのための周波数を選択する端末装置であって、無線ネットワーク制御器(ＲＮＣ)からＭＢＭＳのＰＬに関連した優先周波数情報を含むメッセージを受信するメッセージ受信部と、前記コネクトモード端末機が前記ＭＢＭＳのＮＰＬに位置するか、前記優先周波数情報がＰＬサービス制限情報を含むかを確認するサービス制御部と、前記コネクトモード端末機が前記ＮＰＬに位置し、前記優先周波数情報が前記ＰＬサービス制限情報を含まない場合には前記ＰＬに移動して前記ＭＢＭＳを受信し、前記コネクトモード端末機が前記ＮＰＬに位置し、前記優先周波数情報が前記ＰＬサービス制限情報を含む場合には現在周波数を維持するデータ受信部と、を含むことを特徴とする。
【０００９】
本発明は、マルチメディア放送/マルチキャストサービス(ＭＢＭＳ)移動通信システムで無線ネットワーク制御器がコネクトモード端末機の周波数選択を制御する方法であって、制御されるセルに位置するコネクトモード端末機が希望するＭＢＭＳのＰＬに移動することを制限するＰＬサービス制限情報を含む優先周波数情報を決定する段階と、前記決定された優先周波数情報を含むメッセージを前記コネクトモード端末機に伝送する段階と、を含んで構成されることを特徴とする。
【発明の効果】
【００１０】
本発明は、コネクトモード端末機が受信しようとするＭＢＭＳの優先周波数、すなわちＰＬに対する無線資源状態をコネクトモード端末機に提供することによって、ＭＢＭＳに対するトラフィックがＭＢＭＳの優先周波数で収容できない状態になることを防止する効果がある。 
【発明を実施するための最良の形態】
【００１１】
以下、本発明の望ましい実施形態を添付の図面を参照して詳細に説明する。下記に本発明に関連した公知の機能又は構成に関する具体的な説明が、本発明の要旨を不明にする可能性があると判断された場合に、その詳細な説明を省略する。
図１は、ＭＢＭＳ移動通信システムの簡略化された構成を示す図である。ここで、第３世代非同期移動通信方式の標準である３ＧＰＰ(３ｒｄ  Ｇｅｎｅｒａｔｉｏｎ  Ｐｒｏｊｅｃｔ  Ｐａｒｔｎｅｒｓｈｉｐ)システムにＭＢＭＳを適用するＵＴＲＡＮ(ＵＭＴＳ(Ｕｎｉｖｅｒｓａｌ  Ｍｏｂｉｌｅ  Ｔｅｌｅｃｏｍｍｕｎｉｃａｔｉｏｎ  Ｓｅｒｖｉｃｅ)Ｔｅｒｒｅｓｔｒｉａｌ  Ｒａｄｉｏ  Ａｃｃｅｓｓ  Ｎｅｔｗｏｒｋ)の構成例を示す。 
【００１２】
図１を参照すると、使用者端末機(ＵＥ)１６１,１６２，１６３，１７１，１７２は、ＭＢＭＳを受信することができる端末装置又は加入者を意味する。第１及び第２のセル１６０，１７０は、加入者にＭＢＭＳ関連データを無線伝送する地理的或いは論理的領域として、基地局装置、すなわちノードＢによって制御される。無線ネットワーク制御器(Ｒａｄｉｏ  Ｎｅｔｗｏｒｋ  Ｃｏｎｔｒｏｌｌｅｒ：以下、“ＲＮＣ”とする)１４０は、これらセル１６０，１７０を制御し、マルチメディアデータを特定セルに選別的に伝送し、ＭＢＭＳを提供するために設定されている無線チャンネルを制御する。ＲＮＣ１４０とＵＥ１６１乃至１７２と間の接続はＲＲＣ(Ｒａｄｉｏ  Ｒｅｓｏｕｒｃｅ  Ｃｏｎｔｒｏｌ)インターフェースと呼ばれる。
【００１３】
ＲＮＣ１４０は、サービスパケット無線サービス支援ノード(Ｓｅｒｖｉｎｇ  ＧＰＲＳ  Ｓｕｐｐｏｒｔ  Ｎｏｄｅ：以下、“ＳＧＳＮ”とする)１３０によってインターネットのようなパケット交換又はパケットサービス(Ｐａｃｋｅｔ  Ｓｗｉｔｃｈｅｄ  ｏｒ  Ｐａｃｋｅｔ  Ｓｅｒｖｉｃｅ：ＰＳ）ネットワークに接続される。ＲＮＣ１４０とＰＳネットワークとの通信は、パケット交換シグナルリングによって遂行される。特に、ＲＮＣ１４０とＳＧＳＮ１３０との間の接続は、Ｉｕ-ＰＳインターフェースと呼ばれる。 
【００１４】
ＳＧＳＮ１３０は、それぞれの加入者のＭＢＭＳ関連サービスを制御する。ＳＧＳＮ１３０が担当する役割の代表的な例としては、各加入者のサービス課金関連データを管理する役割とマルチメディアデータを特定のＲＮＣ１４０に選別的に伝送する役割などがある。 
【００１５】
運送ネットワーク(ｔｒａｎｓｉｔ  ｎｅｔｗｏｒｋ)１２０は、ＢＭ-ＳＣ(Ｂｒｏａｄｃａｓｔ  Ｍｕｌｔｉｃａｓｔ  Ｓｅｒｖｉｃｅ  Ｃｅｎｔｅｒ)１１０とＳＧＳＮ１３０との間の通信路を提供し、ＧＧＳＮ(Ｇａｔｅｗａｙ  ＧＰＲＳ  Ｓｕｐｐｏｒｔ  Ｎｏｄｅ；図示せず)を通じて外部網に接続することができる。ＢＭ-ＳＣ１１０は、ＭＢＭＳデータのソースとして、ＭＢＭＳデータのスケジューリングに対して責任を負っている。ＢＭ-ＳＣ１１０によって生成されたＭＢＭＳデータストリームは、運送ネットワーク１２０、ＳＧＳＮ１３０、ＲＮＣ１４０、第１及び第２のセル１６０，１７０を経てＵＥ１６１,１６２，１６３，１７１，１７２に伝達される。 
【００１６】
以下、図２を参照して同一のＭＢＭＳサービスを提供する地域に重複しているセル構造に対する例を説明する。図２に示すように、特定のＭＢＭＳサービスを提供する地域Ａに複数の周波数、すなわち第１の周波数層ｆ１、第２の周波数層ｆ２がカバーする領域が空間的に重複されている。ここで、重複されたそれぞれの周波数層ｆ１又はｆ２、或いはｆ１又はｆ２を有するセルを周波数層と称する。 
ＦＬＣは、上記地域Ａに重複しているすべての周波数層ｆ１、ｆ２で一つのサービスを提供せず、可能なサービス別に一つの周波数のみでサービスを提供するために、ＭＢＭＳサービスに加入した端末機を該当周波数に移動させるスキームである。図２に示すようなセル構造で、特定ＭＢＭＳサービスＢのためのＰＬがｆ２である場合に、地域Ａで周波数層ｆ１の端末機は、ＭＢＭＳサービスＢのセッションが始まるときとセッション中にＭＢＭＳサービスＢを受信するために、このｆ２の周波数層に移動、すなわち、セル再選択を遂行する。ＵＴＲＡＮは、ＭＢＭＳサービスＢのセッションが始まるときとセッション中に前記ｆ１上の端末機にｆ２に移動することを知らせる。このとき、ｆ２はＭＢＭＳサービスＢのＰＬであり、ｆ１はＭＢＭＳサービスＢのＮＰＬである。 
【００１７】
しかしながら、ＭＢＭＳサービスＢがＮＰＬであっても必ずしも利用可能なものではない。ＭＢＭＳサービスＢを提供するためのＰＬの信号強度測定結果が不十分の場合、ＮＰＬに残された端末機のために、ＭＢＭＳサービスＢがＮＰＬでＲＲＭによって提供されることができる。ＮＰＬに比べて、ＰＬは該当特定サービスを主に提供したり、或いは特定サービスだけを提供することができる。上記の説明では、ＭＢＭＳサービスＢに対するＰＬをｆ２に固定した例を挙げたが、ＭＢＭＳサービスＢに対するＰＬは地域により異なることもある。例えば、一部地域ではｆ２がＭＢＭＳサービスＢのＰＬとなるが、他の地域ではｆ１がＭＢＭＳサービスＢのＰＬとなる。ＭＢＭＳサービスのＰＬは、システムオペレータ(ｏｐｅｒａｔｏｒ）のセル構造政策と、現在使用されているセルの無線資源の状態により決定される。３ＧＰＰの標準により、ＭＢＭＳサービスと該当ＰＬの関係を示すＦＬＣ過程は、各ＭＢＭＳサービスのセッションの開始からセッションが終わるまで適用される。 
【００１８】
ＭＢＭＳサービスに加入しているアイドルモード端末機は、ＵＴＲＡＮとの接続とデータの伝送がない状態である。したがって、無線資源の可用状態に関係なくＮＰＬからＰＬへの移動が可能である。一方、コネクトモード端末機は、ＣＥＬＬ_ＦＡＣＨ(Ｃｅｌｌ  Ｆｏｒｗａｒｄ  Ａｃｃｅｓｓ  Ｃｈａｎｎｅｌ)、ＣＥＬＬ_ＰＣＨ(Ｃｅｌｌ  Ｐａｇｉｎｇ  Ｃｈａｎｎｅｌ)、ＵＲＡ_ＰＣＨ(ＵＭＴＳ  Ｒｅｇｉｓｔｒａｔｉｏｎ  Ａｒｅａ  Ｐａｇｉｎｇ  Ｃｈａｎｎｅｌ)、ＣＥＬＬ_ＤＣＨ(Ｃｅｌｌ  Ｄｅｄｉｃａｔｅｄ  Ｃｈａｎｎｅｌ)のうちのいずれか一つの状態なので、ＮＰＬからＰＬへの無線資源の可用状態により移動するか否かが決定される。 
【００１９】
ＣＥＬＬ_ＦＡＣＨは、端末機に専用物理チャンネルが割り当てられず、共用伝送チャンネルを使用する状態である。ＣＥＬＬ_ＰＣＨ状態で、端末機は、専用物理チャンネルも、専用論理チャンネルも有していない。ＵＲＡ_ＰＣＨ状態は、ＣＥＬＬ_ＰＣＨとほとんど類似しており、端末機の移動性が大きくてセル更新による負担がある場合に使用される。最後に、ＣＥＬＬ_ＤＣＨ状態で、端末機は、割り当てられた専用物理チャンネルを使用可能である。 
【００２０】
ＭＢＭＳ移動通信システムで、ＵＴＲＡＮは、コネクトモード端末機のＦＬＣ適用又は制限を、該当ＰＬの無線資源状態によって選択できる。ＵＴＲＡＮは、ＲＲＭによって決定を遂行し、その決定結果による情報を制御されるセル内の端末機に伝送する。コネクトモード端末機は、その決定結果により動作する。本実施形態によるＦＬＣスキームは、特に、ＣＥＬＬ_ＦＡＣＨ状態又はＣＥＬＬ_ＤＣＨ状態の端末機に有効に適用可能である。
【００２１】
以下、図３を参照して端末機のＦＬＣ適用又は制限を決定するためのＲＮＣの動作を詳細に説明する。 
図３は、本発明の望ましい実施形態により、コネクトモード端末機のＦＬＣ適用可否を決定する手順を示すフローチャートである。 
図３を参照すると、ＲＮＣは、ステップ２０１でＮＰＬに位置したコネクトモード端末機のＦＬＣ適用可否を決定するために、現在進行中であるＭＢＭＳに対するＰＬの無線資源を測定する。 
ステップ２０３で、ＲＮＣは、測定された無線資源がコネクトモード端末機の関連トラフィックを収容可能であるか否かを判断する。このとき、ＰＬに対する無線資源が十分であるか、ＮＰＬに位置しつつＭＢＭＳサービスに加入したコネクトモード端末機の全体数又はコネクトモードＣＥＬＬ_ＦＡＣＨ、ＣＥＬＬ_ＰＣＨ、ＵＲＡ_ＰＣＨ、ＣＥＬＬ_ＤＣＨのうちの各状態別端末機の数などが考慮されうる。この測定された無線資源がコネクトモード端末機の関連トラフィックを収容可能であると、ＲＮＣは、ＮＰＬに位置したコネクトモード端末機にＦＬＣを適用することに決定し、ステップ２０５に進む。
【００２２】
ステップ２０５で、ＲＮＣは、ＦＬＣ適用可否を示す情報のＦＬＣ_ＤＩ(ＦＬＣ  Ｄｉｓａｂｌｅｄ  ｉｎｄｉｃａｔｉｏｎ  ｆｏｒ  ｃｏｎｎｅｃｔｅｄ  ｍｏｄｅ  ＵＥ)を“Ｎ”に設定し、ＭＢＭＳサービスに関連するコネクトモード端末機に伝送する。ここで、“Ｎ”はＦＬＣを遂行することを意味する。この場合、ＵＴＲＡＮはＭＢＭＳのＰＬで非ＭＢＭＳを提供できる。 
【００２３】
ステップ２０３で、測定された無線資源がコネクトモード端末機の関連したトラフィックを収容可能でないと、ＲＮＣは、コネクトモード端末機にＦＬＣを適用しないように決定し、ステップ２０７に進行する。ステップ２０７で、ＲＮＣはＦＬＣ_ＤＩを“Ｙ”に設定して該当端末機に伝送する。ここで、“Ｙ”はＦＬＣを遂行しないことを意味する。このようにＦＬＣ_ＤＩが“Ｙ”に設定された場合に、ＰＬを有するＭＢＭＳサービスを除いた専用トラフィックサービスが制限される。すなわち、ＵＴＲＡＮはＭＢＭＳ優先周波数にいかなる非ＭＢＭＳサービスも提供しない。したがって、“Ｙ”に設定されたＦＬＣ_ＤＩはＰＬサービス制限情報と称する。
【００２４】
ＦＬＣ_ＤＩ値は、コネクトモード端末機、又は特定ＲＲＣ状態(例えば、ＣＥＬＬ_ＦＡＣＨ状態）の端末機に対してＦＬＣを適用し、或いは制限することを示す、１ビットのフラグ値になり得る。他の実施形態として、ＦＬＣ_ＤＩは、ネットワークでコネクトモードの４つの状態により各々ＦＬＣ適用又はＦＬＣ制限を指示しようとするときには、４ビットのビットマップ又は２ビットの整数値でも与えられることができる。 
【００２５】
例えば、４ビットのビットマップを使用すると、１番目のビットはＵＲＡ_ＰＣＨ状態、２番目のビットはＣＥＬＬ_ＰＣＨ状態、３番目のビットはＣＥＬＬ_ＦＡＣＨ状態、４番目のビットはＣＥＬＬ_ＤＣＨ状態を表示し、各状態のＦＬＣ適用可否を示す。一例として、ビットマップが‘００１１’であると、ＣＥＬＬ_ＦＡＣＨとＣＥＬＬ_ＤＣＨ状態の端末機はＦＬＣを適用せず、ＵＲＡ_ＰＣＨとＣＥＬＬ_ＰＣＨ状態の端末機は、ＦＬＣの適用を指示することを意味する。 
【００２６】
その他の例として、２ビットの整数値を使用すると、００はＣＥＬＬ_ＤＣＨ状態、０１はＣＥＬＬ_ＦＡＣＨ状態、１０はＣＥＬＬ_ＰＣＨ状態、１１はＵＲＡ_ＰＣＨ状態を示す。この場合に、整数値が‘０１' であると、ＣＥＬＬ_ＦＡＣＨ状態の端末機はＦＬＣを制限し、ＣＥＬＬ_ＤＣＨ、ＣＥＬＬ_ＰＣＨ、ＵＲＡ_ＰＣＨの端末機はＦＬＣを適用する。 
【００２７】
図４は、本発明の望ましい実施形態により、ＦＬＣ適用可否情報を受信するためのコネクトモード端末機の動作を示すフローチャートである。ここで、ＦＬＣ_ＤＩは、本実施形態による１ビットのフラグ値として設定される。 
図４を参照すれば、ステップ２２２で、端末機は、ＭＢＭＳ優先周波数情報を含むＦＬＣ通報(ＦＬＣ_ｎｏｔｉｆｉｃａｔｉｏｎ)メッセージを共用シグナルリング或いは専用シグナルリングを通じて受信する。ＭＢＭＳ優先周波数情報は、ＦＬＣを遂行するＭＢＭＳサービスを示すサービスＩＤ、ＭＢＭＳサービスのＰＬを示す優先周波数情報、ＭＢＭＳオフセット、ＦＬＣ_ＤＩなどを含む。
【００２８】
ステップ２２４で、ＭＢＭＳ優先周波数情報を受信した端末機は、サービスＩＤが端末が加入したＭＢＭＳサービスを示すか否かを確認する。サービスＩＤが、端末機が加入したＭＢＭＳサービスを示していないと、端末機は、ステップ２３４でＦＬＣを遂行せず、現在セル、すなわち現在周波数を維持する。 
サービスＩＤは、端末機が加入したＭＢＭＳを示すと、端末機は、ステップ２２６でＦＬＣ_ＤＩを確認する。ＦＬＣ_ＤＩが“Ｙ”に設定されている場合に、端末機はＦＬＣを適用する必要がないため、ステップ２３４に進む。ステップ２３４で、端末機は、ＰＬに対する測定とＰＬへの再選択などの動作を遂行せず、現在周波数をそのまま維持する。もし、現在周波数がＮＰＬであっても現在周波数に十分な可用資源が存在すると、現在周波数で受信しようとするＭＢＭＳサービスが端末機に提供されることもできる。ＮＰＬに対するサービスの提供可否は、端末機がＮＰＬで伝送されるＭＢＭＳ制御情報を受信することによってわかる。 
【００２９】
ステップ２２６で、ＦＬＣ_ＤＩ値が‘Ｎ’に設定されていると、端末機はステップ２２８に進行して現在周波数がＮＰＬであるか否かを判断する。その判断結果、端末機がＮＰＬに位置した場合に、ステップ２３０でこの端末機はＰＬへのセル再選択を遂行する。その判断結果、端末機がＮＰＬに位置しない場合に、ステップ２３４に進行して現在周波数を維持する。 
【００３０】
ステップ２３０で、セルの再選択は上記のステップ２２２で受信したＦＬＣ通報(ＦＬＣ_ｎｏｔｉｆｉｃａｔｉｏｎ)メッセージによって指示されたＰＬに対する信号強度の測定(ｍｅａｓｕｒｅｍｅｎｔ)結果に基づいて遂行される。ＭＢＭＳオフセット値は、ＰＬへのセル再選択確率を高めるための因子として使われる。 
【００３１】
上述した本発明で、ＦＬＣ_ＤＩは、コネクトモード端末機、又は特定ＲＲＣ状態の端末機にＦＬＣを適用するか、或いは制限するかを、１ビットのフラグ値で示す場合を例に挙げてきた。しかしながら、コネクトモードのそれぞれの状態により、別途にＦＬＣ適用可否を決定しようとするとき、１ビットフラグは、４ビットのビットマップや２ビットの整数値で与えられることができる。 
【００３２】
図５は、本発明の他の実施形態により、１ビットフラグとしてＦＬＣ適用可否情報を受信するためのフローチャートである。ここで、端末機は、現在ＮＰＬに位置している場合のみにＦＬＣ_ＤＩを確認し、ＦＬＣ_ＤＩが‘Ｙ’である場合に優先順位によるサービス選択手順を遂行する。 
図５を参照すれば、ステップ３０２で、端末機は、共用シグナリング又は専用シグナリングによってＭＢＭＳ優先周波数情報を含むＦＬＣ通報メッセージを受信する。ＭＢＭＳ優先周波数情報は、ＦＬＣを遂行するＭＢＭＳサービスを示すサービスＩＤ、ＰＬを示す優先周波数情報、ＭＢＭＳオフセット、ＦＬＣ_ＤＩなどが含まれる。ステップ３０３で、端末機は、サービスＩＤが端末機が加入したＭＢＭＳサービスを示すか否かを確認する。サービスＩＤが、端末が加入したＭＢＭＳサービスを示していないと、ステップ３１１に進行して端末機はＦＬＣを適用せずに、現在セル、すなわち現在周波数を維持する。 
【００３３】
サービスＩＤが、端末機が加入したＭＢＭＳサービスを示すと、ステップ３１２で、端末機は現在周波数がＮＰＬであるか否かを判断する。その判断結果、現在周波数がＮＰＬでない場合にステップ３１１に進み、端末機はＦＬＣを適用せずに現在周波数を維持する。その判断結果、端末機が現在周波数がＮＰＬである場合にステップ３２１に進む。
ステップ３２１で、端末機は、ＦＬＣ_ＤＩを確認する。ＦＬＣ_ＤＩが‘Ｙ’に設定されている場合に、端末機はステップ３２３で現在受信中である専用トラフィックサービスと、ＦＬＣ通報メッセージに含まれているＦＬＣ適用のためのＭＢＭＳサービスのうちの一つを選択する。端末機は、ユーザー又はＮＡＳ(Ｎｏｎ  Ａｃｃｅｓｓ  Ｓｔｒａｔｕｍ)との相互作用(ｉｎｔｅｒａｃｔｉｏｎ)を通じて優先順位の高いサービスを選択する。 
【００３４】
サービスの選択後、端末機は、ステップ３２４で選択されたサービスがＦＬＣ通報メッセージに含まれたＭＢＭＳサービスであるか、すなわちＰＬを有するＭＢＭＳサービスであるか否かを確認する。その確認結果、ＰＬを有するＭＢＭＳサービスであると、ステップ３２５で、端末機は、専用トラフィックサービスを取り消し或いはあきらめ、ステップ３２２に進む。ステップ３２２で、端末機は、選択されたＭＢＭＳサービスのためのＰＬに対する信号強度の測定とその測定結果によりＰＬへの再選択などの動作を遂行する。 
選択されたサービスが専用トラフィックサービスであると、端末機はステップ３１１に進んでＦＬＣを適用せず、現在周波数を維持しつつ専用トラフィックサービスを継続して受信する。 
【００３５】
上述した本発明で、ＦＬＣ_ＤＩは、コネクトモード端末機、又は特定ＲＲＣ状態の端末機にＦＬＣを適用するか、或いは制限するかを、１ビットのフラグ値で示す場合を例に挙げてきた。しかしながら、コネクトモードのそれぞれの状態により、別途にＦＬＣ適用可否を決定しようとするとき、１ビットフラグは、４ビットのビットマップや２ビットの整数値で与えられることができる。 
【００３６】
図６は、本発明の望ましい実施形態により、ＭＢＭＳ優先周波数情報を送受信するメッセージ手順を示す図である。ここで、参照符号４０８は特定ＭＢＭＳサービスに対するＮＰＬで、参照符号４０９はＭＢＭＳサービスのためのＰＬを示す。ＮＰＬとＰＬがカバーする領域はＭＢＭＳサービス地域に重複している。参照符号４１０は、このＭＢＭＳサービスのためにＮＰＬとＰＬの無線資源を管理するＲＮＣを示す。 
図６を参照すると、ステップ４１１で、ＲＮＣ４１０は、コアネットワークのＳＧＳＮからＭＢＭＳサービスの一つのセッションに対してセッションスタートメッセージを受信する。このセッションスタートメッセージは、ＭＢＭＳのセッション開始のためのラジオベアラー(ｒａｄｉｏ  ｂｅａｒｅｒ)の設定などの作業を先行することを知らせる。セッションスタートメッセージは、サービスＩＤ、ＱｏＳ(Ｑｕａｌｉｔｙ  ｏｆ  Ｓｅｒｖｉｃｅ)情報などを含む。 
【００３７】
ステップ４２１で、セッションスタートメッセージを受信すると、ＲＮＣ４１０は、ＮＰＬ４０８にＦＬＣのためのシグナルリングとしてＦＬＣ通報メッセージを伝送する。このＦＬＣ通報メッセージは、サービスＩＤ、ＰＬを示す優先周波数情報、ＭＢＭＳオフセット、ＦＬＣ_ＤＩなどが含まれる。このとき、サービスＩＤはセッションに該当するＭＢＭＳサービスを示し、優先周波数情報はＭＢＭＳサービスのＰＬを示す。ＭＢＭＳオフセットは、ＮＰＬの端末機がＰＬに再選択するとき、ＰＬの信号強度測定結果と比較されるしきい値を示す。また、ＦＬＣ_ＤＩは、コネクトモード端末機のＦＬＣ適用可否を示す。 
【００３８】
ステップ４３１で、ＦＬＣ通報メッセージを受信したＮＰＬ４０８のコネクトモード端末機は、ＦＬＣ通報メッセージのＦＬＣ_ＤＩにより動作する。ＦＬＣ_ＤＩが‘Ｎ’であると、コネクトモード端末機はＰＬ４０９に基づいた測定結果によってＰＬ４０９への再選択を遂行する。ＦＬＣ_ＤＩが‘Ｙ’であると、コネクトモード端末機は現在周波数で受信中である専用トラフィックサービスと、ＦＬＣ通報メッセージで示すＦＬＣが適用されるＭＢＭＳサービスのうち、優先順位によるサービス選択を遂行する。ＭＢＭＳサービスが選択される場合に、コネクトモード端末機は、専用トラフィックサービスを中断し、選択されたＭＢＭＳサービスのＰＬに対する測定結果により該当ＰＬへの再選択を遂行する。一方、専用トラフィックサービスが選択されると、コネクトモード端末機は現在周波数を維持しつつ、専用トラフィックサービスを継続して受信し、セルの再選択は遂行しない。 
【００３９】
このとき、ＦＬＣ通報メッセージを受信した場合に、ＮＰＬ４０８に位置するアイドルモード端末機は、ＦＬＣ通報メッセージのＦＬＣ_ＤＩと関係なく、ＰＬ４０９に対する信号強度の測定結果が十分であると、ＰＬ４０９に移動する。 
このＭＢＭＳサービスのセッションが始まる以前に、ステップ４３１〜ステップ４４１の間にＲＮＣ４１０は、ＭＢＭＳサービスを受信する端末機等の数をカウントする手続き、チャンネルタイプの決定、ラジオベアラーの設定などを遂行する。 
【００４０】
ステップ４４１で、ＭＢＭＳサービスのセッションが始まると、ＲＮＣ４１０は、ステップ４５１及び４５２で、ＭＢＭＳサービスのセッションに対してＦＬＣ通報メッセージを周期的に伝送する。これは、ＲＮＣ４１０によって制御されるセルに位置する端末機の移動性を支援するためである。ＮＰＬ４０８端末機は、周期的に伝送されるＦＬＣ通報メッセージを受信すると、ＦＬＣが必要であるときに、ステップ４６１で、ＦＬＣ通報メッセージのサービスＩＤ、優先周波数情報、及びＦＬＣ_ＤＩに基づいてＰＬ４０９にセルの再選択を遂行する。
【００４１】
上述した本発明で、ＦＬＣ_ＤＩは、コネクトモード端末機、又は特定ＲＲＣ状態の端末機にＦＬＣを適用するか、或いは制限するかを、１ビットのフラグ値で示す場合を例に挙げてきた。しかしながら、コネクトモードのそれぞれの状態により、別途にＦＬＣ適用可否を決定しようとするとき、１ビットフラグは、４ビットのビットマップや２ビットの整数値で与えられることができる。 
上記したように、コネクトモード端末機は、ＦＬＣ_ＤＩを通じて希望するＭＢＭＳサービスに対するＰＬの資源可用情報をわかるようになって、ＦＬＣを效率的に遂行することができる。 
【００４２】
図７は、本発明の望ましい実施形態により、ＭＢＭＳ優先周波数情報を送信するＲＮＣの構成を示すブロック構成図である。図示のように、ＲＮＣは、無線資源管理部７１０と、ＦＬＣ制御部７２０と、メッセージ送信部７３０とから構成される。ここで、ＭＢＭＳの放送データを送信する放送送信部は図示しない。 
図７を参照すると、無線資源管理部７１０は、ＲＮＣによって制御されるセルの無線資源を管理し、セルの周波数別に可用の無線資源の量を測定する。ＦＬＣ制御部７２０は、特定ＭＢＭＳサービスのＰＬに対して測定された無線資源が、コネクトモード端末機が現在受信中である専用トラフィックサービスの関連トラフィックを収容可能であるか否かを判断する。ここで、専用トラフィックサービスは、非ＭＢＭＳサービスを意味する。すなわち、ＦＬＣ制御部７２０は、ＭＢＭＳサービスのＮＰＬに位置しつつ、ＭＢＭＳサービスに加入したコネクトモード端末機の個数、或いはコネクトモードのうちの特定状態である端末機の個数を考慮し、測定された無線資源がコネクトモード端末機の関連トラフィックが収容可能であるか否かを判断し、その判断結果により、ＭＢＭＳ優先周波数情報を決定する。すなわち、ＦＬＣ制御部７２０は、セッションが始まるＭＢＭＳサービスの優先周波数を決定し、かつ、優先周波数情報にＰＬサービス制限情報を含めるか否かを決定する。ＭＢＭＳ優先周波数情報は、測定された無線資源がコネクトモード端末機の関連トラフィックを収容可能である場合にはＰＬサービス制限情報を含まないし、そうでない場合にはＰＬサービス制限情報を含む。ここで、ＰＬサービス制限情報は、例えばＦＬＣ_ＤＩが‘Ｙ’に設定された場合である。他の実施形態として、ＦＬＣ制御部７２０は、ＭＢＭＳサービスの政策或いはサービス事業者の選択のような他の基準により、ＭＢＭＳ優先周波数情報にＰＬサービス制限情報を含めるか否かを決定することができる。メッセージ送信部７３０は、設定されたＭＢＭＳ優先周波数情報を、先に言及したＦＬＣ通報メッセージのように、提供可能なＭＢＭＳサービスに関連した一般的な情報を含むメッセージによって伝送する。 
【００４３】
ＭＢＭＳ優先周波数にＰＬサービス制限情報が含まれる場合に、放送送信部は、ＭＢＭＳ優先周波数で非ＭＢＭＳサービスを提供しない。一方、ＭＢＭＳ優先周波数にＰＬサービス制限情報が含まれない場合に、放送送信部はＭＢＭＳ優先周波数で非ＭＢＭＳサービスを提供することができる。 
【００４４】
図８は、本発明の望ましい実施形態により、ＭＢＭＳサービスのために優先周波数が使用可能な端末機の構成を示すブロック構成図である。端末機は、メッセージ受信部８１０と、サービス制御部８２０と、データ受信部８３０とから構成される。
図８を参照すると、メッセージ受信部８１０は、端末機が加入したＭＢＭＳサービスに関連した一般的な情報を含むメッセージを受信し、メッセージからＭＢＭＳサービスのＰＬを示す優先周波数情報が得られる。サービス制御部８２０は、上記した図４又は図５の手順を遂行する。すなわち、端末機がＰＬに位置すると、サービス制御部８２０は、ＭＢＭＳ周波数選択手順を遂行せず、現在周波数を維持すると判断する。この場合、放送受信部８３０は、現在周波数を維持しつつ、専用トラフィックサービスを継続して受信する。
【００４５】
一方、端末機がＮＰＬに位置し、ＭＢＭＳ優先周波数情報がＰＬサービス制限情報を含まないと、サービス制御部８２０はＭＢＭＳサービスのＰＬに移動すると判断する。この場合に、データ受信部８３０は、ＰＬの信号強度を測定し、信号強度の測定結果が所定のしきい値を超えると、ＰＬに移動して専用トラフィックサービスを継続して受信する。 
【００４６】
一方、端末機がＮＰＬに位置し、ＭＢＭＳ優先周波数情報がＰＬサービス制限情報を含む場合に、サービス制御部８２０は、現在周波数で受信中である専用トラフィックサービスを含んで優先順位によるサービス選択手順を遂行することができる。サービス選択手順により選択されたサービスがＰＬサービスを有するＭＢＭＳサービスであると、データ受信部８３０は、サービス制御部８２０の制御下に、専用トラフィックサービスを中止し、選択されたＭＢＭＳサービスのＰＬに移動して選択されたＭＢＭＳサービスの放送データを受信する。 
【００４７】
以上、本発明の具体的な実施形態に関して詳細に説明したが、本発明の範囲を外れない限り、様々な変形が可能であることは、当該技術分野における通常の知識を持つ者には自明なことであろう。したがって、本発明の範囲は、上述した実施形態に限定されるものではなく、特許請求の範囲及びこの特許請求の範囲と均等なものに基づいて定められるべきである。
【図面の簡単な説明】
【００４８】
【図１】ＭＢＭＳ移動通信システムの簡略化された構成を示す図である。
【図２】同一のＭＢＭＳサービスを提供する地域に重複するセル層構造に対する一例を示す図である。
【図３】本発明の望ましい実施形態により、コネクトモード端末機のＦＬＣ適用可否を決定する手順を示す図である。
【図４】本発明の望ましい実施形態により、ＦＬＣ適用可否情報を受信するコネクトモード端末機の動作を示すフローチャートである。
【図５】本発明の他の実施形態により、ＦＬＣ適用可否情報を受信するコネクトモード端末機の動作を示すフローチャートである。
【図６】本発明の望ましい実施形態により、ＭＢＭＳ優先周波数情報を送受信する信号を示すフローチャートである。
【図７】本発明の望ましい実施形態により、ＭＢＭＳ優先周波数情報を送信するＲＮＣの構成を示すブロック構成図である。
【図８】本発明の望ましい実施形態により、ＭＢＭＳサービスのために優先周波数を使用することができる端末機の構成を示すブロック構成図である。
【符号の説明】
【００４９】
１１０    ＢＭ−ＳＧ
１３０    ＳＧＳＮ(サービスパケット無線サービス支援ノード)
１４０    ＲＮＣ(ネットワーク制御器)
１６１、１６２、１６３、１７１、１７２    ＵＥ(使用者端末機)
１６０    第１のセル
１７０    第２のセル
７１０    無線資源管理部
７２０    ＦＬＣ制御部
７３０    メッセージ送信部
８１０    メッセージ受信部
８２０    サービス制御部
８３０    データ受信部
【図１】
2006042354.tif 000003
【図２】
2006042354.tif 000004
【図３】
2006042354.tif 000005
【図４】
2006042354.tif 000006
【図５】
2006042354.tif 000007
【図６】
2006042354.tif 000008
【図７】
2006042354.tif 000009
【図８】
2006042354.tif 000010
【外国語明細書】
2006042354.tif 000011
2006042354.tif 000012
2006042354.tif 000013
2006042354.tif 000014
2006042354.tif 000015
2006042354.tif 000016
2006042354.tif 000017
2006042354.tif 000018
2006042354.tif 000019
2006042354.tif 000020
2006042354.tif 000021
2006042354.tif 000022
2006042354.tif 000023
2006042354.tif 000024
2006042354.tif 000025
2006042354.tif 000026
2006042354.tif 000027
2006042354.tif 000028
2006042354.tif 000029
2006042354.tif 000030
2006042354.tif 000031
2006042354.tif 000032
2006042354.tif 000033
2006042354.tif 000034
2006042354.tif 000035
2006042354.tif 000036
2006042354.tif 000037
2006042354.tif 000038
2006042354.tif 000039
2006042354.tif 000040
2006042354.tif 000041
2006042354.tif 000042